(57)【特許請求の範囲】
【請求項１】
扉枠体の適宜位置に、扉体が閉成したとき当該扉体に装着されたラッチボルトが係止されるラッチボルト穴を設け、このラッチボルト穴に対し当該ラッチボルト穴の開口口を閉塞するように移動して前記係止された前記ラッチボルトの前記ラッチボルト穴からの退出を可能ならしめるラッチボルト係止解除金具であって、
その一方端にマグネット体を装着して当該マグネット体の磁力により前記ラッチボルト穴に配設されたラッチボルト受け具に吸着されて静止状態が維持される一方、前記磁力に抗して前記移動が可能にされてなることを特徴とするラッチボルト係止解除金具。
【請求項２】
扉枠体の適宜位置に、扉体が閉成したとき当該扉体に装着されたラッチボルトが係止されるラッチボルト穴を設け、このラッチボルト穴に対し当該ラッチボルト穴の開口口を閉塞するように移動して前記係止された前記ラッチボルトの前記ラッチボルト穴からの退出を可能ならしめるラッチボルト係止解除金具であって、
前記扉枠体の適宜位置に立設された被ガイドピン部材を前記移動に従って相対移動可能ならしめる長円形状のガイド溝を設けるとともに、このガイド溝の対向する内壁面の一方または両方には、当該ガイド溝の適宜な位置での静止状態の維持が可能な、且つ、前記被ガイドピン部材のピン径に応じた大きさの弧状溝を連続的に設けてなることを特徴とするラッチボルト係止解除金具。
【請求項３】
扉枠体の適宜位置に、扉体が閉成したとき当該扉体に装着されたラッチボルトが係止されるラッチボルト穴を設け、このラッチボルト穴に対し当該ラッチボルト穴の開口口を閉塞するように移動して前記係止された前記ラッチボルトの前記ラッチボルト穴からの退出を可能ならしめるラッチボルト係止解除金具であって、
前記扉枠体の面上に固着されたガイドプレート上を前記移動が可能にされるとともに、当該ガイドプレート上に設けられた凹凸溝にかみ合いつつ移動可能で、且つ、この凹凸溝の適宜な位置で静止可能な係止ピン部材が突設されてなることを特徴とするラッチボルト係止解除金具。
【発明の詳細な説明】
【技術分野】
【０００１】
本発明は、扉体が閉成されるときにラッチボルト穴に係止するラッチボルトに対し、その係止状態を解除する金具に関するものである。
【背景技術】
【０００２】
扉体が閉成したときには、扉枠体の適宜位置に設けられたラッチボルト穴に扉体に装着されたラッチボルトが係止されるようになっているが、従来から種々の理由により、このラッチボルト穴の開口口を当初から閉塞した状態にして使用したり（例えば、特許文献１）、或いは、このラッチボルト穴の開口口を閉塞した状態にして使用するようなことはせず当該ラッチボルト穴に係止されてしまったラッチボルトを当該ラッチボルト穴から強制的に退出させることができるようにしたものがある（例えば、特許文献２）。
このうち特許文献１に開示のものは、上記ラッチボルト穴に相当するドアフレーム１００の穴１００ａ位置に図１３（Ｂ）に示すようなロックプレート１０１を、当該ロックプレート１０１のロック孔１０１ａが上記穴１００ａに重なるようにして固着させ、このロックプレート１０１上に上記穴１００ａ及びロック孔１０１ａが閉塞されるように補助プレート１０２を配設したものである。具体的には、補助プレート１０２は、図１３（Ｃ）に示すような四隅箇所を略くの字形に折曲してなる掛止爪１０２ａが設けられたもので、図１３（Ａ）に示すように、当該補助プレート１０２の掛止爪１０２ａに弾性変形を加えつつ当該掛止爪１０２ａをロック孔１０１ａに押し込んで、当該掛止爪１０２ａをロック孔１０１ａの孔縁部に掛止させることによって、上記穴１００ａ及びロック孔１０１ａを閉塞するように配設されてなるものである。尚、符号１０３は、ドア（扉体）であり、符号１０４は、ロック爪（ラッチボルト）である。
このようなものにあっては、ドア１０３を閉成してもロック爪１０４が補助プレート１０２に当接するだけで上記穴１００ａに進入できずドア１０３がロックされることはないので、ドア１０３のハンドル（図示せず）を廻さなくてもドア１０３を押すだけで開成させることができ、利便性が得られる場合がある。
【０００３】
また、特許文献２に開示のものは、扉（扉体）２００に対向する壁部（扉枠体）２０１に固定されるストライク本体２０２と、扉２００を開扉方向に回転したときに扉２００のラッチ（ラッチボルト）２０３が当接する位置に設けられる一対の回転部材２０４とから構成され、図１４（Ｂ）に示すように、ストライク本体２０２の当該コの字状の先端部に設けられたヒンジ部２０２ｃに回転部材２０４が回動可能に設けられ（図１４（Ｂ），１４（Ｃ）参照）、図１４（Ｂ）に示すような回転部材２０４の閉塞状態（通常時）には、これら回転部材２０４の自由端同士が接触状態で対向するようになっており、このときストライク本体２０２及び回転部材２０４によって閉空間２０５が形成され、この閉空間２０５にラッチ２０３が進入・退出することができるようになっている。そして、合成樹脂で構成されるストライク本体２０２及び回転部材２０４には、図示しない鋸刃状をなして係合する係合部２０２ａ及び２０４ａがそれぞれ設けられ（尚、この実施例では、ストライク本体２０２及び回転部材２０４に、凹凸状をなして係合する凹部２０２ｂ及び突出部２０４ｂもそれぞれ設けられている）、これにより、ラッチ２０３から所定以下の力が作用しても当該回転部材２０４が回転しないように、換言すれば、所定以上の力が作用したときに係合部２０２ａ及び２０４ａが弾性変形して回転部材２０４の開放方向の回転（例えば、図１４（Ｃ）に示すような回転部材２０４の回転）を可能にしている。
このようなものにあっては、通常時には、ラッチ２０３が閉空間２０５内に進入していて閉扉状態が維持される一方、扉２００のドアノブ（図示せず）の操作等によりラッチ２０３を閉空間２０５から退出させることにより扉２００を開扉状態にさせることができる。また、地震などによってラッチ２０３が動作不良になったときには、扉２００を強制的に開扉方向に回転させラッチ２０３を介して回転部材２０４に所定以上の力を加えることで、係合部２０２ａ及び２０４ａ並びに凹部２０２ｂ及び突出部２０４ｂを弾性変形させて回転部材２０４を開放方向に回転させ、扉２００を強制的に開扉状態にさせることができる。
【０００４】
しかしながら、特許文献１に開示のものは、ドア１０３のハンドルを廻さなくてもドア１０３を押すだけで開成させることができるので、利便性が得られる場合があるが、これを実現する手段としてロックプレート１０１のロック孔１０１ａに当該ロック孔１０１ａが閉塞されるように補助プレート１０２を配設する構成が採られており、ロック孔１０１ａを閉塞する構成としては簡便とは言えず、また、補助プレート１０２を取り外すことによってドア１０３がロックされる一般的な使用のしかたに復元させることも容易とは言えない。尚、この構成においては、当然のことながら、地震などによってロック爪１０４が動作不良になったときに当該ロック爪１０４をロック孔１０１ａから退出させ、ドア１０３を強制的に開扉状態にさせるという機能は発明の解決課題の対象とはなり得ない。
また、特許文献２に開示のものは、地震などによってラッチ２０３が動作不良になったときに、扉２００を強制的に開扉状態にさせることができる一つの手段であるが、これを実現する構成としては簡便とは言えない。即ち、ストライク本体２０２の先端部のヒンジ部２０２ｃに一対の回転部材２０４を回動可能に設け、これら回転部材２０４とストライク本体２０２とでラッチ２０３が進入・退出する閉空間２０５を区画し、ストライク本体２０２及び回転部材２０４に鋸刃状をなして係合する係合部２０２ａ及び２０４ａをそれぞれ設ける構成を採っており（この実施例では、ストライク本体２０２及び回転部材２０４に凹部２０２ｂ及び突出部２０４ｂもそれぞれ設けられている）、簡便な構成とは言えず、また、この構成においては、ラッチ２０３が進入・退出する閉空間２０５を閉塞して特許文献１に開示のものように扉２００のドアノブを廻さなくても扉２００を押すだけで開成させるという機能は備えていない。
【特許文献１】実用新案登録第３０８７７９４号（第６〜８頁、図１，３，５）
【特許文献２】特開２００９−１５５８１１（第４〜６頁、図１，２，５）
【発明の開示】
【発明が解決しようとする課題】
【０００５】
解決しようとする問題点は、簡便な構造によって、扉体のハンドルを廻さなくても扉体を押すだけで開成させることができ、しかも、地震などによってラッチボルトが動作不良になったときに、扉体を強制的に開成状態にさせることができるものとする点である。
【課題を解決するための手段】
【０００６】
本発明の請求項１に係るラッチボルト係止解除金具は、扉枠体の適宜位置に、扉体が閉成したとき当該扉体に装着されたラッチボルトが係止されるラッチボルト穴を設け、このラッチボルト穴に対し当該ラッチボルト穴の開口口を閉塞するように移動して前記係止された前記ラッチボルトの前記ラッチボルト穴からの退出を可能ならしめるラッチボルト係止解除金具であって、その一方端にマグネット体を装着して当該マグネット体の磁力により前記ラッチボルト穴に配設されたラッチボルト受け具に吸着されて静止状態が維持される一方、前記磁力に抗して前記移動が可能にされるようにした簡便な構造をなすもので、このラッチボルト係止解除金具をマグネット体の磁力に抗して移動させラッチボルト穴の開口口を閉塞する状態にすれば、扉体のハンドルを廻さなくても扉体を押すだけで開成させることができるようになるし、また、地震などによってラッチボルトが動作不良になったときには、このラッチボルト係止解除金具をマグネット体の磁力に抗して移動させ、例えばラッチボルトの傾斜面に当接させて当該ラッチボルトを押し上げるようにすれば、扉体を強制的に開成状態にさせることができるようになる。
【０００７】
本発明の請求項２に係るラッチボルト係止解除金具は、扉枠体の適宜位置に、扉体が閉成したとき当該扉体に装着されたラッチボルトが係止されるラッチボルト穴を設け、このラッチボルト穴に対し当該ラッチボルト穴の開口口を閉塞するように移動して前記係止された前記ラッチボルトの前記ラッチボルト穴からの退出を可能ならしめるラッチボルト係止解除金具であって、前記扉枠体の適宜位置に立設された被ガイドピン部材を前記移動に従って相対移動可能ならしめる長円形状のガイド溝を設けるとともに、このガイド溝の対向する内壁面の一方または両方には、当該ガイド溝の適宜な位置での静止状態の維持が可能な、且つ、前記被ガイドピン部材のピン径に応じた大きさの弧状溝を連続的に設けるようにした簡便な構造をなすもので、このラッチボルト係止解除金具を被ガイドピン部材から受ける力に抗して移動させラッチボルト穴の開口口を閉塞する状態にすれば、扉体のハンドルを廻さなくても扉体を押すだけで開成させることができるようになるし、また、地震などによってラッチボルトが動作不良になったときには、このラッチボルト係止解除金具を被ガイドピン部材から受ける力に抗して移動させ、例えばラッチボルトの傾斜面に当接させて当該ラッチボルトを押し上げるようにすれば、扉体を強制的に開成状態にさせることができるようになる。
【０００８】
本発明の請求項３に係るラッチボルト係止解除金具は、扉枠体の適宜位置に、扉体が閉成したとき当該扉体に装着されたラッチボルトが係止されるラッチボルト穴を設け、このラッチボルト穴に対し当該ラッチボルト穴の開口口を閉塞するように移動して前記係止された前記ラッチボルトの前記ラッチボルト穴からの退出を可能ならしめるラッチボルト係止解除金具であって、前記扉枠体の面上に固着されたガイドプレート上を前記移動が可能にされるとともに、当該ガイドプレート上に設けられた凹凸溝にかみ合いつつ移動可能で、且つ、この凹凸溝の適宜な位置で静止可能な係止ピン部材が突設されるようにした簡便な構造をなすもので、このラッチボルト係止解除金具を、ガイドプレートの凹凸溝から受ける力に抗して移動させラッチボルト穴の開口口を閉塞する状態にすれば、扉体のハンドルを廻さなくても扉体を押すだけで開成させることができるようになるし、また、地震などによってラッチボルトが動作不良になったときには、このラッチボルト係止解除金具をガイドプレートの凹凸溝から受ける力に抗して移動させ、例えばラッチボルトの傾斜面に当接させて当該ラッチボルトを押し上げるようにすれば、扉体を強制的に開成状態にさせることができるようになる。
【発明の効果】
【０００９】
本発明のラッチボルト係止解除金具は、扉体のハンドルを廻さなくても扉体を押すだけで開成させ、しかも、地震などによってラッチボルトが動作不良になったときに、扉体を強制的に開成状態にさせることを簡便な構造によって実現した点で優れている。
【発明を実施するための最良の形態】
【００１０】
本発明の第１の実施の形態に係るラッチボルト係止解除金具を図１〜４を参照して説明する。
本ラッチボルト係止解除金具１は、図１、詳細には図２に示すような構造をなし、扉枠体２上を、当該扉枠体２の適宜位置に設けられたラッチボルト穴２ａに対しそのラッチボルト穴２ａの開口口を閉塞するような移動が可能になっている。尚、このラッチボルト穴２ａは、扉体３が閉成されたとき当該扉体３に装着されたラッチボルト４が係止されるものである。
本ラッチボルト係止解除金具１の構成を説明する前に、扉枠体２及びラッチボルト受け具５を簡単に説明すると、扉枠体２は、上述のように当該扉枠体２の適宜位置に段差付きのラッチボルト穴２ａが設けられ、このラッチボルト穴２ａに近接して図１の紙面に垂直な尺長の戸当たり６のための溝２ｂが設けられ、また、ラッチボルト受け具５は、本実施の形態では、磁性部材で構成されるプレート５ａと、このプレート５ａの下面に配設される樹脂製のボックス５ｂとで構成され、このうちプレート５ａは、略矩形状の薄厚な部材で、その一方端部５ａ１が緩やかに下方に湾曲をなし、且つ、下面中央付近に小突起５ｃが突設される形状をなす一方、ボックス５ｂは、略矩形状の深皿状の部材で、その上面にフランジ５ｂ１が形成される形状をなしている。そして、ラッチボルト受け具５は、このプレート５ａの一方端部５ａ１がラッチボルト４の、ラッチボルト穴２ａへの進入・退出経路上に位置するプレート５ａのフランジ５ｂ１に被さるようにしてラッチボルト穴２ａに取り付けられる（図４，５参照）。この取付けに際しては、ラッチボルト受け具５のボックス５ｂは、ラッチボルト穴２ａ内での図１中における矢印方向の位置決めを行うべく上記小突起５ｃがフランジ５ｂ１に設けられたガイド溝（図示せず）に適宜な量だけ相対移動可能になっており、したがって、プレート５ａに対し適宜な量だけ調整移動される。
【００１１】
本ラッチボルト係止解除金具１は、図１、詳細には図２に示すように、略矩形状の薄厚なプレート１０を本体として構成され、このプレート１０には、当該プレート１０の一方の短辺縁（扉枠体２上を移動可能に配設されたときに、ラッチボルト穴２ａに近い側の短辺縁）中央に当該短辺長より短寸の先端フランジ１０ａが角部１０ｄを起点として下方に突設され、また、当該プレート１０の他方の短辺縁中央には、この短辺縁から内側（当該プレート１０の中央方向）に向かって切り込まれた終点を起点として上方に切り起こされて形成された、上記先端フランジ１０ａとほぼ同一形状の後端フランジ１０ｂが突設され、更に、この後端フランジ１０ｂの近傍から当該プレート１０の略中央に至るところに長円形状のガイド溝１０ｃが対をなして平行に設けられている。このガイド溝１０ｃには、図２中の説明図に示すように、扉枠体２の適宜位置にネジ込んで設置されるガイドビス１１の首下部１１ａが緩やかに係合されるようになっており、よって、このガイドビス１１の案内に従ってプレート１０、即ち、本ラッチボルト係止解除金具１が移動可能になっている。
【００１２】
そして、プレート１０の先端フランジ１０ａには、この先端フランジ１０ａの、当該プレート１０の下面側に連続する面側に薄厚な矩形状のマグネット体１２が取り付けられ、このマグネット体１２は、後述するように、ラッチボルト穴２ａの開口口を全開にして使用する通常の場合、ラッチボルト受け具５のプレート５ａに設けられたラッチボルト４の進入・退出用開口穴の内壁面に吸着されて静止状態が維持されるようになっている（例えば、図３（Ａ−２）参照）。本実施の形態では、このプレート５ａとの吸着位置において本ラッチボルト係止解除金具１の取付け時の位置決めがなされる。また、プレート１０の後端フランジ１０ｂには、当該プレート１０の移動操作の利便性のための長円柱形状の操作片１３が圧入される。
尚、プレート１０の上面で、その先端フランジ１０ａの近傍に刻設された凹凸溝１４は、ラッチボルト穴２ａの開口口を全閉にして使用する場合、ラッチボルト４の先端部を係止させて扉体３が自然に開成するのを防止すべく設けられたものである。
【００１３】
本ラッチボルト係止解除金具１の使い方を図３，４を参照して説明する。
最初に、扉体３のハンドル（図示せず）を廻さなくても扉体３を押すだけで開成させることができる使い方について図３を参照して説明する。但し、図３において、図３（Ａ−１）は図３（Ａ−２）の平面図で、図３（Ａ−２）は正面図であり、また、図３（Ｂ−１）は図３（Ｂ−２）の平面図で、図３（Ｂ−２）は正面図である。
ラッチボルト穴２ａの開口口を開口にして使用する通常の場合には、図３（Ａ−２）に示すように、本ラッチボルト係止解除金具１は、これに取り付けられたマグネット体１２の磁力によりラッチボルト受け具５のプレート５ａの開口穴内壁に吸着されて静止状態が維持されている。したがって、ラッチボルト穴２ａの開口口は全開になっており、同図に示すように、ラッチボルト４が進入して扉体３が閉成される。このときには扉体３のハンドルを廻さなくては扉体３を開成させることができない。
しかるに、ラッチボルト穴２ａの開口口を閉塞にして使用する場合には、本ラッチボルト係止解除金具１を、図３（Ｂ−２）に示すように、マグネット体１２の磁力に抗して移動させてラッチボルト穴２ａの開口口を閉塞すればよい。このような状態のときに扉体３を閉成しても、同図に示すように、ラッチボルト４が本ラッチボルト係止解除金具１のプレート１０に当接してラッチボルト穴２ａに進入せず、したがって、扉体３を押すだけで開成させることができるようになる。
【００１４】
次に、地震などによってラッチボルト４が動作不良になったときに、扉体３を強制的に開成状態にさせることができる使い方について図４を参照して説明する。
地震などによってラッチボルト４が動作不良、例えば、扉体３のハンドルを廻してもラッチボルト４が連動せずにラッチボルト穴２ａに係止したままの図４（Ａ）のような状態になってしまったときに、本ラッチボルト係止解除金具１をマグネット体１２の磁力に抗してラッチボルト穴２ａの開口口を閉塞する方向に移動させると、本ラッチボルト係止解除金具１は、その角部１０ｄがラッチボルト４の傾斜面に当接して当該ラッチボルトを同図（Ｂ）のように押し上げるので、ラッチボルト４をラッチボルト穴２ａから退出させることができ、同図（Ｃ）のようになるので扉体３を強制的に開成状態にさせることができる。
このとき、当然のことながら、ラッチボルト４の傾斜面は、ラッチボルト４がラッチボルト穴２ａに対し最大深長で係止されたときにも、本ラッチボルト係止解除金具１が当該傾斜面に当接するように形成されている。
【００１５】
本発明の第２の実施の形態に係るラッチボルト係止解除金具２０を図５〜８を参照して説明する。但し、図５〜８において、図１〜４の構成要素と同一の要素については同一の番号を付し、その説明は割愛する。
本ラッチボルト係止解除金具２０が上記ラッチボルト係止解除金具１と異なるところは、ラッチボルト係止解除金具１ではマグネット体１２を用いて静止状態を維持させる方法を採ったが、本ラッチボルト係止解除金具２０では、弾性変形が可能な弧状溝が連続的に設けられたガイド溝に対しガイドビス（被ガイドピン部材）１１が係止されるようにして静止状態を維持させる方法を採っている点である。したがって、本ラッチボルト係止解除金具２０では、上記プレート１０に代えてプレート２１を用いている。尚、本ラッチボルト係止解除金具２０に対応するラッチボルト受け具５については、そのプレート５ａを磁性部材に代えて樹脂部材を用いることができる。
【００１６】
本ラッチボルト係止解除金具２０のプレート２１は、上記ラッチボルト係止解除金具１のプレート１０とほぼ同一形状をなす略矩形状の薄厚な部材であるが、プレート１０と異なるところは、当該プレート２１のガイド溝２１ａ，２１ｂ（プレート１０の、対をなすガイド溝１０ｃに相当するところ）の内壁に、連続的に弧状溝２１ｃをそれぞれ設けるとともに、弧状溝２１ｃに弾性を持たせるためにガイド溝２１ａ，２１ｂの間にスリット２１ｄを設けている点が異なる。即ち、本実施の形態では、対をなして平行に設けられた長円形状のガイド溝２１ａ，２１ｂの間に、これらガイド溝２１ａ，２１ｂに対しその溝幅が狭く、且つ、その溝長が同一のスリット２１ｄを設けるとともに、これらガイド溝２１ａ，２１ｂ及びスリット２１ｄの一方端（当該プレート２１の略中央寄りの端）側を連通させ、このガイド溝２１ａ，２１ｂの内壁でスリット２１ｄを隔てて互いに隣合う直線部分の内壁２１ａ１，２１ｂ１に、図６中の詳細図に示すような弧状溝２１ｃを連続的に設けている。そして、この弧状溝２１ｃは、扉枠体２の適宜位置にねじ込んで設置される上記ガイドビス１１の首下部１１ａの外径（ピン径）に応じた大きさで、且つ、スリット２１ｄにより弾性変形が生ずるように形成されており、したがって、本ラッチボルト係止解除金具２０は、適宜な弧状溝２１ｃの位置で係止して、換言すれば、ガイド溝２１ａ，２１ｂの適宜な位置で係止して静止状態が維持される一方、本ラッチボルト係止解除金具２０の移動に際しては、弧状溝２１ｃがガイドビス１１からの抗力に対して弾性変形し本ラッチボルト係止解除金具２０の扉枠体２上での移動が可能になる。
尚、プレート２１を樹脂製部材で構成して弧状溝２１ｃが弾性変形可能なようにし、当該弧状溝２１ｃをガイドビス１１からの抗力に対して弾性変形させ上述した移動を可能にしてもよい。
【００１７】
本ラッチボルト係止解除金具２０の使い方を図７，８を参照して説明する。
図７は、扉体３のハンドル（図示せず）を廻さなくても扉体３を押すだけで開成させることができる使い方についての説明図である。但し、図７において、図７（Ａ−１）は図７（Ａ−２）の平面図で、図７（Ａ−２）は正面図であり、また、図７（Ｂ−１）は図７（Ｂ−２）の平面図で、図７（Ｂ−２）は正面図である。
この場合の使い方は、上記ラッチボルト係止解除金具１の場合とほぼ同様であるので、簡単に説明する。
ラッチボルト穴２ａの開口口を開口にして使用する通常の場合には、図７（Ａ−２）に示すように、本ラッチボルト係止解除金具２０は、このガイド溝２１ａ，２１ｂの適宜位置の弧状溝２１ｃをガイドビス１１に係止して静止状態が維持され（このとき、ラッチボルト受け具５に対して適宜な位置のところで静止状態が維持される）、ラッチボルト穴２ａの開口口は全開になっているので、同図に示すように、ラッチボルト４が進入して扉体３が閉成される。このときには扉体３のハンドルを廻さなくては扉体３を開成させることができない。
しかるに、ラッチボルト穴２ａの開口口を閉塞にして使用する場合には、本ラッチボルト係止解除金具２０を、図７（Ｂ−２）に示すように、ガイドビス１１との係止状態を解いて移動させラッチボルト穴２ａの開口口を閉塞すればよい。このような状態のときに扉体３を閉成しても、同図に示すように、ラッチボルト４がラッチボルト穴２ａに進入できず、したがって、扉体３を押すだけで開成させることができるようになる。
但し、上記ラッチボルト係止解除金具１の場合と異なるところは、本ラッチボルト係止解除金具２０では、静止状態を維持する手段として、上述のようにガイド溝２１ａ，２１ｂの弧状溝２１ｃをガイドビス１１に係止させる方法を用いているので、上記ラッチボルト係止解除金具１の場合に比して、本ラッチボルト係止解除金具２０を、ラッチボルト受け具５の、ラッチボルト４の進入・退出用開口穴の内壁面に対し適宜な隙間を設けて静止状態が維持されるようにすることができ（例えば、図７（Ａ−２）参照）、したがって、本ラッチボルト係止解除金具２０のラッチボルト受け具５に対する調整ができる。
【００１８】
また、図８は、地震などによってラッチボルト４が動作不良になったときに、扉体３を強制的に開成状態にさせることができる使い方についての説明図であるが、上記ラッチボルト係止解除金具１の場合とほぼ同様であるので、その詳細な説明は割愛する。
地震などによってラッチボルト４がラッチボルト穴２ａに係止したままの図８（Ａ）のような状態になってしまったときに、本ラッチボルト係止解除金具２０を、ガイドビス１１との係止状態を解いてラッチボルト穴２ａの開口口を閉塞する方向に移動させると、その角部１０ｄがラッチボルト４の傾斜面に当接して当該ラッチボルトを同図（Ｂ）のように押し上げるので、ラッチボルト４をラッチボルト穴２ａから退出させることができ、同図（Ｃ）のようになるので扉体３を強制的に開成状態にさせることができる。
このとき、当然のことながら、ラッチボルト４の傾斜面は、ラッチボルト４がラッチボルト穴２ａに対し最大深長で係止されたときにも、本ラッチボルト係止解除金具２０が当該傾斜面に当接するように形成されている。
【００１９】
本発明の第３の実施の形態に係るラッチボルト係止解除金具３０を図９〜１２を参照して説明する。但し、図９〜１２において、図１〜８の構成要素と同一の要素については同一の番号を付し、その説明は割愛する。
本ラッチボルト係止解除金具３０は、ラッチボルト係止解除金具２０が扉枠体２上を移動可能に配設されていたのに対し、扉枠体２に固着されたガイドプレート３５上を移動可能に配設され、そして、このガイドプレート３５上に設けられた凹凸溝３７にその小ピン（係止ピン部材）３３が係止されるようにして静止状態が維持されるようになっている。
本ラッチボルト係止解除金具３０は、図９、詳細には図１０に示すように、略矩形状の薄厚なプレート３１を本体として構成され、このプレート３１には、当該プレート３１の一方の短辺縁（扉枠体２上を移動可能に配設されたときに、ラッチボルト穴２ａに近い側の短辺縁）中央に当該短辺長より短寸の先端フランジ３１ａが角部３１ｄを起点として下方に突設され、また、当該プレート３１の他方の短辺縁近傍に位置する中央には、皿状の小孔３１ｂが設けられ、この小孔３１ｂを隔てて等距離位置には当該プレート３１の上面に突出された一対の突条３２ｃ１，３２ｃ２が突設されている。これら突条３２ｃ１，３２ｃ２は、長円柱形状の操作片４０の有底孔（図示せず）に緩挿されて、操作片４０が小孔３１ｂを通して螺着される皿ビス４１によってプレート３１に固着される。
【００２０】
更に、このプレート３１には、上記突条３２ｃ１，３２ｃ２の近傍から当該プレート３１の長手方向の略中央に至るところに長円形状のガイド溝３１ｃが対をなして平行に設けられるとともに、これらガイド溝３１ｃの中心線（この中間線は当該プレート３１の長手方向の中心線である）の略中間位置で、且つ、これらガイド溝３１ｃの、当該プレート３１の略中央寄りの一方端近くに、当該プレート３１の下面に突出された小ピン３３が突設され、この小ピン３３に弾性変形を持たせるために当該小ピン３３をコ字状に囲むようにしてコ字状割り溝３１ｄが設けられている。更にまた、小ピン３３から当該プレート３１の長手方向の中心線に沿って当該プレート３１の一方の短辺縁寄りのところに長円形状の挿通孔３４が設けられている。
尚、プレート３１の上面で、その先端フランジａ３１ａの近傍に刻設された凹凸溝１４は、上述したように、ラッチボルト穴２ａの開口口を全閉にして使用する場合、ラッチボルト４の先端部を係止させて扉体３が自然に開成するのを防止するために設けられている。
【００２１】
ガイドプレート３５は、図９、詳細には図１０に示すように、略矩形状の薄厚なプレート３６を本体として構成され、このプレート３６には、当該プレート３６の一方の短辺縁（扉枠体２上を移動可能に配設されたときに、ラッチボルト穴２ａに近い側の短辺縁）に断面視略Ｌ字状をなす先端フランジ３６ａが下方に垂下される態様で設けられ、この先端フランジ３６ａを構成する、当該プレート３６に平行な底板の中央に挿通孔３６ａ１が設けられている。また、このプレート３６には、当該プレート３６の他方の短辺縁寄りに当該プレート３６の長手方向の中心線を隔てて一対の皿状の中孔３６ｂが設けられている。更に、本実施の形態では、このプレート３６には、当該プレート３６の長手方向の中心線に沿って当該プレート３６の一方の短辺縁中央から当該プレート３６の略中央に至るところに浅めで細かな凹凸溝３７が設けられ（図１０中のＢ部詳細図参照）、この凹凸溝３７を隔てて一対の挿通孔３８が当該凹凸溝３７の長手方向の略中央付近に設けられている。
【００２２】
このような本ラッチボルト係止解除金具３０とガイドプレート３５とを組み付ける場合には、各ガイドピン４２を、当該ガイドピン４２の首下部４２ａ（図９参照）が本ラッチボルト係止解除金具３０のガイド溝３１ｃに緩やかに係合するように、且つ、首下部４２ａより突出する径小の脚部４２ｂ（図９参照）がガイドプレート３５の挿通孔３８からわずかに突出するように配設し、この脚部４２ｂの突出部分をカシメて組み付ける。このとき、本ラッチボルト係止解除金具３０の小ピン３３は、プレート３６の凹凸溝３７の適宜な位置の凹部位と係合している。このような本ラッチボルト係止解除金具３０にあっては、その小ピン３３がプレート３６の凹凸溝３７から抗力を受けると、割り溝３１ｄで囲まれる、当該小ピン３３が突設された切片が弾性変形する結果、本ラッチボルト係止解除金具３０がガイドプレート３５上を移動可能になる一方、この凹凸溝３７の適宜位置で係止して静止状態が維持されることになる。
尚、プレート３６を樹脂製部材で構成して凹凸溝３７が弾性変形可能なようにし、当該凹凸溝３７を小ピン３３に対して弾性変形させ上述した移動を可能にしてもよい。
このようにして組み付けられた本ラッチボルト係止解除金具３０とガイドプレート３５とを扉枠体２の適宜な面上に取り付ける場合には、ガイドプレート３５を扉枠体２の適宜な面上に固着させる。即ち、図１１，１２に示すように、ガイドプレート３５は、その先端フランジ３６ａが扉枠体２の溝２ｂ内に配設され、本ラッチボルト係止解除金具３０の挿通孔３４及びガイドプレート３５の挿通孔３６ａ１を挿通する固定ボルト（図示せず）によって扉枠体２に固着される。尚、上記挿通孔３４は、ガイドプレート３５の固定に際しての固定ボルトとの干渉を避けるために長円形状に形成されている。
【００２３】
本ラッチボルト係止解除金具３０の使い方を図１１，１２を参照して説明する。
図１１は、扉体３のハンドル（図示せず）を廻さなくても扉体３を押すだけで開成させることができる使い方についての説明図である。但し、図１１において、図１１（Ａ−１）は図１１（Ａ−２）の平面図で、図１１（Ａ−２）は正面図であり、また、図１１（Ｂ−１）は図１１（Ｂ−２）の平面図で、図１１（Ｂ−２）は正面図である。
この場合の使い方は、上記ラッチボルト係止解除金具２０の場合とほぼ同様であるので、簡単に説明する。
ラッチボルト穴２ａの開口口を開口にして使用する通常の場合には、図１１（Ａ−２）に示すように、本ラッチボルト係止解除金具３０は、その小ピン３３をガイドプレート３５の凹凸溝３７の適宜な位置の凹部分に係止して静止状態が維持され（このとき、ラッチボルト受け具５に対して所望の位置のところで静止状態が維持される）、ラッチボルト穴２ａの開口口は全開になっているので、同図に示すように、ラッチボルト４が進入して扉体３が閉成される。このときには扉体３のハンドルを廻さなくては扉体３を開成させることができない。
しかるに、ラッチボルト穴２ａの開口口を閉塞にして使用する場合には、本ラッチボルト係止解除金具３０を、図１１（Ｂ−２）に示すように、ガイドプレート３５の凹凸溝３７との係止状態を解いて移動させラッチボルト穴２ａの開口口を閉塞すればよい。このような状態のときに扉体３を閉成しても、同図に示すように、ラッチボルト４がラッチボルト穴２ａに進入できず、したがって、扉体３を押すだけで開成させることができるようになる。
但し、上記ラッチボルト係止解除金具２０の場合と異なるところは、本ラッチボルト係止解除金具３０では、上述のように、その小ピン３３をガイドプレート３５の細かな凹凸溝３７に係止させる方法を用いているので、上記ラッチボルト係止解除金具２０の場合に比して、本ラッチボルト係止解除金具３０を、ラッチボルト受け具５の、ラッチボルト４の進入・退出用開口穴の内壁面に対し所望の隙間を設けて静止状態が維持されるようにすることができ（例えば、図１１（Ａ−２）参照）、したがって、ラッチボルト受け具５に対する細かい調整ができる。
【００２４】
また、図１２は、地震などによってラッチボルト４が動作不良になったときに、扉体３を強制的に開成状態にさせることができる使い方についての説明図であるが、上記ラッチボルト係止解除金具２０の場合とほぼ同様であるので、その詳細な説明は割愛する。
地震などによってラッチボルト４がラッチボルト穴２ａに係止したままの図１２（Ａ）のような状態になってしまったときに、本ラッチボルト係止解除金具３０を、ガイドプレート３５の凹凸溝３７との係止状態を解いてラッチボルト穴２ａの開口口を閉塞する方向に移動させると、その角部３１ｄがラッチボルト４の傾斜面に当接して当該ラッチボルトを同図（Ｂ）のように押し上げるので、ラッチボルト４をラッチボルト穴２ａから退出させることができ、同図（Ｃ）のようになるので扉体３を強制的に開成状態にさせることができる。
このとき、当然のことながら、ラッチボルト４の傾斜面は、ラッチボルト４がラッチボルト穴２ａに対し最大深長で係止されたときにも、本ラッチボルト係止解除金具３０が当該傾斜面に当接するように形成されている。
【産業上の利用可能性】
【００２５】
本発明のラッチボルト係止解除金具は、扉体のハンドルを廻さなくても扉体を押すだけで開成させ、しかも、地震などによってラッチボルトが動作不良になったときに、扉体を強制的に開成状態にさせることを簡便な構造により実現した点で、広く一般的に利用されるものと言える。
【図面の簡単な説明】
【００２６】
【図１】本発明の第１の実施の形態に係るラッチボルト係止解除金具及びこれと協働する部材の分解構成図である。
【図２】図１のラッチボルト係止解除金具の分解斜視図である。
【図３】図１のラッチボルト係止解除金具の使用説明図である。
【図４】図１のラッチボルト係止解除金具の使用説明図である。
【図５】本発明の第２の実施の形態に係るラッチボルト係止解除金具及びこれと協働する部材の分解構成図である。
【図６】図５のラッチボルト係止解除金具の分解斜視図である。
【図７】図５のラッチボルト係止解除金具の使用説明図である。
【図８】図５のラッチボルト係止解除金具の使用説明図である。
【図９】本発明の第３の実施の形態に係るラッチボルト係止解除金具及びこれと協働する部材の分解構成図である。
【図１０】図９のラッチボルト係止解除金具の分解斜視図である。
【図１１】図９のラッチボルト係止解除金具の使用説明図である。
【図１２】図９のラッチボルト係止解除金具の使用説明図である。
【図１３】従来のラッチボルト係止解除金具の構成図である。
【図１４】従来のラッチボルト係止解除金具の構成図である。
【符号の説明】
【００２７】
１，２０，３０        ラッチボルト係止解除金具
２                    扉枠体
２ａ                  ラッチボルト穴
３                    扉体
４                    ラッチボルト
５                    ラッチボルト受け具
１１                  ガイドビス（被ガイドピン部材）
１２                  マグネット体
２１ａ，２１ｂ        ガイド溝
２１ｃ                弧状溝
３３                  小ピン（係止ピン部材）
３５                  ガイドプレート
３７                  凹凸溝
【図１】
0005442520.tif 000002
【図２】
0005442520.tif 000003
【図３】
0005442520.tif 000004
【図４】
0005442520.tif 000005
【図５】
0005442520.tif 000006
【図６】
0005442520.tif 000007
【図７】
0005442520.tif 000008
【図８】
0005442520.tif 000009
【図９】
0005442520.tif 000010
【図１０】
0005442520.tif 000011
【図１１】
0005442520.tif 000012
【図１２】
0005442520.tif 000013
【図１３】
0005442520.tif 000014
【図１４】
0005442520.tif 000015